(57)【要約】【課題】撮像装置の表示パネルが撮像装置本体に対し左右に表示パネルが移動した際、把持する為のグリップベルトの位置が変わらない為、表示パネルを見ながらの撮影が行い難かった。【解決手段】撮像装置本体に対し、表示パネルが左右に移動した際に、把持する手を支えるグリップベルトの取り付け部を撮像装置本体から外すこと無く、表示パネルに対し反対側に移動する。【選択図】図１
2017083498.tif 000002
【特許請求の範囲】
【請求項１】
撮像装置であって、
撮像装置本体前方に画像を表示する表示パネルを支えるヒンジ機構を配置し、
前記ヒンジ機構の一端に撮像値本体を把持する手を支えるグリップベルトの取り付け部を構成し、前記ヒンジ機構によって表示パネルは前記撮像装置本体の左右位置に回転可能に動作し、
他方のグリップベルト取り付け部を撮像装置本体後面に配置し、
前記撮像装置後面に配置したグリップベルトは撮像装置本体に対し回転可能にグリップベルトの取り付け部が移動することを特徴とする撮像装置。
【請求項２】
前記表示パネルは撮像装置本体内に水平に収納されることを特徴とする請求項１に記載の撮像装置。
【発明の詳細な説明】
【技術分野】
【０００１】
本発明は、撮像装置の把持する手を支えるグリップベルトの位置とその表示装置に関する。
【背景技術】
【０００２】
従来の撮像装置では撮像装置本体を把持する手を保持するグリップベルトがあり、又撮影画像を表示する表示装置も備えられている。その際、撮像装置本体の把持する手を支えるグリップベルトの位置は固定されているか、又は前記把持為のグリップベルトが撮像位置本体に対し左右に移動する事が可能なタイプが存在していた。又、表示装置の視認性確保の為の撮像装置本体を把持する手を支えるてグリップベルトの位置に対し逆に移動する必要があったが連動されておらず不便であった。そこで、特許文献１、２のような技術が提案されている。
【先行技術文献】
【特許文献】
【０００３】
【特許文献１】特開２００８−３５３４４号公報
【特許文献２】特開２００５−１０９７１１号公報
【発明の概要】
【発明が解決しようとする課題】
【０００４】
しかしながら、上記特許文献１では、撮像装置本体と表示装置を回動可能に連結し、２つの回転軸で撮像装置本体の上面に表示装置を移動させ、撮影者に表示装置の表示パネル画像を左右のどちらの手で把持しても視認する事が可能であるが、グリップベルトは左右各々の取り付け箇所に付け替える為、手間が掛っていた。
【０００５】
又、上記特許文献２では、装置本体両側面にそれぞれ表示装置を取り付けるための左右表示装置取付部を備え、左右表示装置取付部には接続端子及び検出スイッチが備えられて電気的な接続が確保されている。
【０００６】
更に撮像装置本体の把持する手を支えるグリップベルトを撮像装置本体の左右両側の何れかの位置に移動させる為に、撮像装置本体の前後部にベルト取り付け部を備えているが、表示パネルを撮像装置本体の左右に移動させる場合は表示パネルを外して左右の接点部に接続させる必要があった為、本体左右に接点を設ける為にコストアップが必要となり、左右着脱の手間も掛っていた。
【課題を解決するための手段】
【０００７】
上記の課題を解決するために、本発明に係る撮像装置は、
撮像装置本体前方に表示パネルを支えるヒンジ機構を配置し、前記ヒンジ機構の一端に撮像値本体を把持する手を支えるグリップベルトの取り付け部を構成し、前記ヒンジ機構によって表示パネルは前記撮像装置本体の左右位置に回転可能に動作し、他方のグリップベルト取り付け部を撮像装置本体後面に回転可能にグリップベルトの取り付け部を設けることを特徴とする。
【０００８】
又、本発明に係る撮像装置のその他の特徴とする所は、前記表示パネルは撮像装置本体内に略水平に収納されることを特徴とする。
【発明の効果】
【０００９】
本発明に係る撮像装置によれば、表示パネルを撮像装置本体の左右方向に可動した際にグリップベルトを外す事無く表示パネルの反対側に移動が可能となり、左右各々の位置に移動した表示パネルに対し把持する手を支えるグリップベルトが表示面を遮る事無く撮像装置を保持する事が可能となる。又、グリップベルトの取り付け部が表示パネルに対し逆の位置に移動する事で、グリップベルトを短くする事が出来る為に無駄な長さを必要としない事でコスト的に有利になる。
【図面の簡単な説明】
【００１０】
【図１】本発明の実施例を示す撮像装置の斜視図
【図２】本発明の実施例を示す図１と逆方向に表示パネルを移動した際の斜視図
【図３】本発明の実施例を示す撮像装置の表示装置を収納した際の斜視図
【図４】図１で図示したＡ−Ａ断面図
【図５】Ａ−Ａ断面箇所の部品構成斜視図
【図６】本発明の実施例を示す表示装置ユニットの上下方向からの斜視図
【図７】本発明の実施例を示す表示装置ユニットの分解斜視図
【図８】本発明の実施例を示す表示装置ユニットのヒンジ内部の斜視図
【発明を実施するための形態】
【００１１】
以下、本発明を実施するための形態を図面に基づいて説明する。
【００１２】
＜第１の実施形態＞
本発明の実施形態を図１から図８を用いて説明する。図１は本発明の撮像装置であり、撮影者が右手で撮像装置本体を把持した際の使用時状態を示した斜視図であり、ａは被写体側から見た斜視図、ｂは撮影者側から見た斜視図である。
【００１３】
撮像装置本体１０１に内蔵され被写体画像を取り込む撮像レンズユニット１０２が配置され、前記撮像レンズユニット１０２の被写体側下部にはヒンジ本体ＡＳＳＹ１２０が配置され、ヒンジユニット回転軸１３５ａ及び表示装置ユニット回転軸１３５ｂによって表示装置ユニット１０３を回動させる。
【００１４】
グリップベルト１０６の撮像装置本体１０１との接続は、ヒンジ本体ＡＳＳＹ１２０に構成されたヒンジカバー材１２１のヒンジカバーグリップベルト通し穴１２１ａに被写体側ベルト部１０６ａが繋がれ、もう一方の撮影者側ベルト部１０６ｂはグリップベルト後部保持部材１０５に構成されたグリップベルト通し穴１０５ａに撮影者側ベルト部１０６ｂが繋がれる。
【００１５】
グリップベルト後部保持部材１０５は図４、図５で解説されるグリップベルト後部保持部材回転軸１０８を回転中心として回動し、その回転方向は図２、図３で示される様に収納カバー１０７に掛らない様に図示位置より撮像装置本体底面方向のみに回動する。
【００１６】
表示装置ユニット１０３の図示位置は表示画面１０９が撮影者側に向いており、右手で撮像装置本体を把持した構成である為に、表示画面１０９は把持する側の撮像装置本体１０１の逆側に配置する事で、把持する手で表示画面を遮る事無く、撮影画像が見易いレイアウトになっている。
【００１７】
図２は本発明の撮像装置であり、撮影者が左手で撮像装置本体を把持した際の使用時状態を示した斜視図であり、ａは被写体側から見た斜視図、ｂは撮影者側から見た斜視図である。
【００１８】
動作に関する解説記述は図１と同じであり、撮影者の把持する手を支えるグリップベルト１０６の位置と表示装置ユニット１０３の位置が逆になっている。
【００１９】
即ち、表示装置ユニット１０３の図示位置は表示画面１０９が撮影者側に向いており、左手で撮像装置本体を把持した構成である為に、表示画面１０９は把持する側の撮像装置本体１０１に対して逆側に配置する事で、把持する手で表示画面を遮る事無く、撮影画像が見易いレイアウトになっている。
【００２０】
又、本発明の様にヒンジ本体ＡＳＳＹ１２０に配置したヒンジカバーグリップベルト通し穴１２１ａが表示装置ユニット１０３が撮像装置本体１０１に対し左右に回動した際に表示画面１０９に対し逆の位置に移動する事で、グリップベルトを短くする事が出来る為に無駄な長さを必要としない事でコスト的に有利になる。
【００２１】
図３は本発明の撮像装置の表示装置を収納した際の斜視図で、ａは撮影者側から見た斜視図、ｂは被写体側から見た斜視図である。
【００２２】
ヒンジ本体ＡＳＳＹ１２０はヒンジユニット回転軸１３５ａを中心に回動を行うと共に、同時に表示装置ユニット１０３は表示装置ユニット回転軸１３５ｂに対し回動を行い、撮像レンズユニット１０２の下に構成された表示装置収納面１０４の中に収納される。
【００２３】
ヒンジ本体ＡＳＳＹ１２０に構成されたヒンジカバー材１２１のヒンジカバーグリップベルト通し穴１２１ａは被写体側に向き被写体側ベルト部１０６ａが繋がれ、もう一方の撮影者側ベルト部１０６ｂはグリップベルト後部保持部材１０５がグリップベルト後部保持部材回転軸１０８を中心に回動を行い、底面側に向いたグリップベルト通し穴１０５ａに撮影者側ベルト部１０６ｂが繋がれる。
【００２４】
よって、表示装置が撮像装置に収納されると、グリップベルト１０６が撮像装置本体の底面に配置される事になり、収納ケース及び収納バックに入れす際にはコンパクトに収める事が出来る。
【００２５】
また、撮像装置本体をテーブル等に置く場合は、グリップベルト１０６が底面に配置すると置いた際の安定性が無くなる為、長さに余裕がある被写体側ベルト部１０６ａ及び撮影者側ベルト部１０６ｂはグリップベルト後部保持部材１０５を図１及び図２の位置に回転させる事でグリップベルト１０６を撮像装置本体の横位置に移動する事も可能である。
【００２６】
よって表示装置ユニット１０３が収納された際は、グリップベルト１０６の位置はグリップベルト後部保持部材１０５の位置を目的に合わせ選択的に移動させる事が可能である。
【００２７】
図４は本発明の図１で図示したＡ−Ａ断面図でありグリップベルト後部保持部材１０５周辺の構成を表した図であり、図５はＡ−Ａ断面箇所の部品構成を展開した斜視図で、ａ及びｂは斜視方向を変えた図である。
【００２８】
撮像装置本体１０１に構成されている筺体でグリップベルト後部保持部材１０５を摺動規制を行っている摺動規制部１１０によってグリップベルト後部保持部材回転軸１０８に対する回転方向の摺動規制及び軸方向の摺動規制を行っており、前記軸方向の規制にはグリップベルト後部保持部材１０５から構成されている図５で示す固定ピン１０５ｄを保持規制板１１１に通し、固定ピンカシメ形状１０５ｂによって保持規制板１１１とグリップベルト後部保持部材１０５を結合させ回転動作を支える。
【００２９】
基板１１２はトリガースイッチ１１４が実装され、基板１１２と撮像装置本体１０１の筺体とは基板固定ビス１１７によって固定され、ＦＰＣ（フレキシブル  プリント  サーキットボード）１１６によって基板１１２と撮像装置本体の基板に接続される。
【００３０】
トリガースイッチ１１４はトリガー操作ボタン１１３のトリガ−スイッチ押し部１１３ｂで当接し、グリップベルト後部保持部材１０５に構成されている保持リブ１０５ｃとトリガー操作ボタン１１３に構成されている引っ掛け爪１１３ａにてトリガー操作ボタン１１３の抜け止めを行い、そのトリガー操作ボタン１１３とグリップベルト後部保持部材１０５との押し込み方向の隙間であるトリガー操作ボタン移動範囲１１５の間で押し圧移動しトリガースイッチ１１４を押し込みスイッチの操作を行う。
【００３１】
図６は本発明の実施例を示すヒンジユニットを含む表示装置ユニットの表裏斜視図であり、ａは撮像装置収納状態でレンズ側から見た斜視図、ｂが撮像装置収納状態で底面方向から見た斜視図である。
【００３２】
ヒンジ上部接合ベース部材１１８は撮像装置本体１０１の撮像レンズユニット１０２下部筺体に接続し固定され、ヒンジ上部接合ベース部材１１８はヒンジ上部カシメ部１１９によってヒンジ本体ＡＳＳＹ１２０に構成されている回転軸にカシメ固定される。
【００３３】
ヒンジカバー材１２１はヒンジ本体ＡＳＳＹ１２０の内側に嵌め込み強度を高めると共にヒンジカバーグリップベルト通し穴１２１ａを構成している。ヒンジ下部接合ベース部材１２２は撮像装置本体１０１の下部筺体空間の上面に接続し固定され、ヒンジ下部接合ベース部材１２２はヒンジ下部カシメ部１２３によってヒンジ本体ＡＳＳＹ１２０に構成されている回転軸にカシメ固定される。
【００３４】
表示装置ユニット１０３と本体内の駆動回路とを電気的に結線する表示装置結線材１２４はこのヒンジ本体ＡＳＳＹ１２０を通り接続される。表示面側外装カバー１２５は表示装置ユニット１０３の表示画面１０９側の外装カバーで、表示装置蓋カバー１２６は表示面側外装カバー１２５の反対面側の外装である。
【００３５】
図７は本発明の実施例を示すヒンジユニットを含む表示装置ユニットの分解斜視図である。
【００３６】
図６で示したヒンジ本体ＡＳＳＹ１２０を中心にした分解斜視図で、ヒンジ本体ＡＳＳＹ１２０は表示装置ユニット１０３と撮像装置本体１０１とを回転操作可能に接続し、且つ被写体側撮像装置本体構造を支える為の部材でもある。
【００３７】
表示面側外装カバー１２５に表示パネルユニット１２７、バックライトユニット１２８、表示パネル基板１２９を順番に組み付け、表示パネル基板１２９に配置した表示パネル用接続コネクター１２９ａ、バックライトユニット用接続コネクター１２９ｂ、主要基板用接続コネクター１２９ｃに各結線材を接続させ、ヒンジＡＳＳＹ表示パネルプレート１３２を嵌め込み表示装置蓋カバー１２６を取り付け、表示パネル外装止めビス１３０ａ〜１３０ｄで表示装置ユニット１０３を固定し、表示装置ヒンジＡＳＳＹ固定ビス１３１ａ，１３１ｂでヒンジＡＳＳＹ表示パネルプレート１３２と表示装置ユニット１０３を固定する。
【００３８】
その後、ヒンジ本体ＡＳＳＹ１２０の躯体となるヒンジＡＳＳＹベース部材１３４にヒンジカバー材１２１を嵌め込みヒンジカバー材止めビス１３３ａ〜１３３ｈで上下方向から固定する事で、ヒンジ本体ＡＳＳＹ１２０が上下方向からの強度上の支えを強化し写体側撮像装置本体の構造を支える事が可能になる。
【００３９】
その後、図６で解説したヒンジ上部接合ベース部材１１８とヒンジ下部接合ベース部材１２２をヒンジ本体ＡＳＳＹ１２０にカシメを施すが、先にヒンジ上部接合ベース部材１１８とヒンジ下部接合ベース部材１２２をヒンジ本体ＡＳＳＹ１２０にカシメを施し、その後ヒンジカバー材１２１を組み付ける事も可能である為、組み立て順序構成によって変える事が可能である。
【００４０】
図８は表示装置ユニットを回転可能に動作させるヒンジＡＳＳＹ内部構成の斜視図であり、ａ図及びｂ図は斜視方向を変えた図である。
【００４１】
ヒンジＡＳＳＹベース部材１３４を中心に各回転軸が配置構成され、撮像装置本体１０１とヒンジ本体ＡＳＳＹ１２０とが回転する軸がヒンジユニット回転軸１３５ａであり、その軸となる部品が中空軸Ｂ１３８と中空軸Ｃ１３９で、ヒンジ上部接合ベース部材１１８及びヒンジ下部接合ベース部材１２２の摺動する為の部材である中空軸Ｂスペーサー１４０ａ及び中空軸Ｃスペーサー１４０ｂがヒンジＡＳＳＹベース部材１３４との間に挟まり摺動及び一定の隙間を確保する。
【００４２】
表示装置ユニット１０３とヒンジ本体ＡＳＳＹ１２０とが回転する軸が表示装置ユニット回転軸１３５ｂであり、その軸となる部品が中空軸Ａ１３６で、ヒンジＡＳＳＹ表示パネルプレート１３２と中空軸Ａ１３６が一対で回転し、その保持の為のカシメ受け部品として中空軸Ａ押さえ板１３７がありヒンジＡＳＳＹベース部材１３４の摺動を確保され、ヒンジＡＳＳＹ表示パネルプレート１３２と中空軸Ａ押さえ板１３７に対し中空軸Ａ１３６が中空軸Ａカシメ部１３６ａ，ｂによって固定される。
【００４３】
本発明では表示装置ユニット１０３から本体内の駆動回路とを電気的に結線を行う表示装置結線材１２４は本体内の駆動回路に対して接続されるので、中空軸Ａ１３６と中空軸Ｂ１３８を通過し、各軸の回転を阻害しない形で結線される。尚、表示装置結線材１２４が中空軸Ｃ１３９を通過して結線する事も可能であり、撮像装置の基板構成によって使い分けする事が可能である。
【００４４】
この様に本発明では、表示パネルを撮像装置本体の左右方向に可働した際に把持する手を支えるグリップベルトの取り付け部を外す事無く表示パネルの反対側に移動する事が可能になり、左右各々の位置に移動した表示パネルの視認性を確保しつつ把持が可能となる。又、本発明のその他の特徴とする所は、前記表示パネルは撮像装置本体内に略水平に収納される事で収納性に優れた特徴も有するものである。
【符号の説明】
【００４５】
１０１  撮像装置本体、１０３  表示装置ユニット、
１０５  グリップベルト後部保持部材
【図１】
2017083498.tif 000003
【図２】
2017083498.tif 000004
【図３】
2017083498.tif 000005
【図４】
2017083498.tif 000006
【図５】
2017083498.tif 000007
【図６】
2017083498.tif 000008
【図７】
2017083498.tif 000009
【図８】
2017083498.tif 000010